【手続補正書】
【提出日】平成23年3月23日(2011.3.23)
【手続補正１】
【補正対象書類名】特許請求の範囲
【補正対象項目名】全文
【補正方法】変更
【補正の内容】
【特許請求の範囲】
【請求項１】
レンズ鏡枠内に設けられた第１の防振機構と、
カメラ本体内に設けられた第２の防振機構と、
所定操作に応じて上記第１の防振機構による第１の防振動作を開始し、撮影動作中は上記第１の防振動作に代えて上記第２の防振機構による第２の防振動作を実行させる制御手段と、
を具備し、
上記制御手段は、上記撮影動作の終了後に上記第１及び第２の防振機構にセンタリング動作を実行させることを特徴とする撮像装置。
【請求項２】
上記所定操作はレリーズ釦の半押し操作であることを特徴とする請求項１に記載の撮像装置。
【請求項３】
上記制御手段は、上記レリーズ釦の半押し解除操作に応答して上記第１の防振機構のセンタリング動作を実行させることを特徴とする請求項２に記載の撮像装置。
【請求項４】
レンズ鏡枠内に設けられた第１の防振機構に対して第１の防振動作の開始、停止、センタリング動作を指示する信号を通信するための通信端子と、
カメラ本体内に設けられた第２の防振機構と、
所定操作に応じて上記第１の防振機構による第１の防振動作を開始し、撮影動作中は上記第１の防振動作に代えて上記第２の防振機構による第２の防振動作を上記通信端子を介して実行させる制御手段と、
を具備し、
上記制御手段は、上記撮影動作の終了後に上記第２の防振機構にセンタリング動作を実行させると共に、上記通信端子を介して上記第２の防振機構に対してセンタリング動作を指示することを特徴とする撮像装置。
【請求項５】
上記通信端子を介して、上記レンズ鏡枠内に上記第１の防振機構が設けられているか否かを判定する判定手段を有し、この判定手段によって上記第１の防振機構が設けられていないと判定された場合には、上記所定操作に応じた上記第１の防振動作の開始を指示しないことを特徴とする請求項４に記載の撮像装置。
【請求項６】
上記通信端子を介して、上記レンズ鏡枠内に上記第１の防振機構が設けられているか否かを判定する判定手段を有し、この判定手段によって上記第１の防振機構が設けられていないと判定された場合には、上記所定操作に応じて上記第２の防振動作を開始させることを特徴とする請求項５に記載の撮像装置。
【請求項７】
上記判定手段は、上記第１の防振機構が設けられているか否かを上記通信手段で要求したレンズ情報に基づいて判定することを特徴とする請求項６に記載の撮像装置。
【手続補正２】
【補正対象書類名】明細書
【補正対象項目名】発明の名称
【補正方法】変更
【補正の内容】
【発明の名称】撮像装置
【手続補正３】
【補正対象書類名】明細書
【補正対象項目名】０００１
【補正方法】変更
【補正の内容】
【０００１】
本発明は、撮像装置に関し、詳しくは、手振れ補正機構（防振機構）を有する撮像装置に関する。
【手続補正４】
【補正対象書類名】明細書
【補正対象項目名】０００７
【補正方法】変更
【補正の内容】
【０００７】
本発明は、このような事情を鑑みてなされたものであり、ファインダ観察時の視野範囲と実際に撮影した画像の視野範囲に差が生ずることがなく、かつ、充分な手振れ補正を行うことのできる撮像装置を提供することを目的とする。
【手続補正５】
【補正対象書類名】明細書
【補正対象項目名】０００９
【補正方法】変更
【補正の内容】
【０００９】
第２の発明に係わる撮像装置は、上記第１の発明において、上記所定操作はレリーズ釦の半押し操作である。
また、第３の発明に係わる撮像装置は、上記第２の発明において、上記制御手段は、上記レリーズ釦の半押し解除操作に応答して上記第１の防振動作を停止させるとともに、上記第１の防振機構のセンタリング動作を実行させる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
第４の発明に係わる撮像装置は、レンズ鏡枠内に設けられた第１の防振機構に対して第１の防振動作の開始、停止、センタリング動作を指示する信号を通信するための通信端子と、カメラ本体内に設けられた第２の防振機構と、所定操作に応じて上記第１の防振機構による第１の防振動作を開始し、撮影動作中は上記第１の防振動作に代えて上記第２の防振機構による第２の防振動作を上記通信端子を介して実行させる制御手段と、を具備し、上記制御手段は、上記撮影動作の終了後に上記第２の防振機構にセンタリング動作を実行させると共に、上記通信端子を介して上記第２の防振機構に対してセンタリング動作を指示する。
【手続補正８】
【補正対象書類名】明細書
【補正対象項目名】００１２
【補正方法】変更
【補正の内容】
【００１２】
第５の発明に係わる撮像装置は、上記第４の発明において、上記通信端子を介して、上記レンズ鏡枠内に上記第１の防振機構が設けられているか否かを判定する判定手段を有し、この判定手段によって上記第１の防振機構が設けられていないと判定された場合には、上記所定操作に応じた上記第１の防振動作の開始を指示しない。
第６の発明に係わる撮像装置は、上記第５の発明において、上記通信端子を介して、上記レンズ鏡枠内に上記第１の防振機構が設けられているか否かを判定する判定手段を有し、この判定手段によって上記第１の防振機構が設けられていないと判定された場合には、上記所定操作に応じて上記第２の防振動作を開始させる。
【手続補正９】
【補正対象書類名】明細書
【補正対象項目名】００１３
【補正方法】変更
【補正の内容】
【００１３】
第７の発明に係わる撮像装置は、上記第６の発明において、上記判定手段は、上記第１の防振機構が設けられているか否かを上記通信手段で要求したレンズ情報に基づいて判定する。
【手続補正１０】
【補正対象書類名】明細書
【補正対象項目名】００１４
【補正方法】変更
【補正の内容】
【００１４】
本発明によれば、ファインダ観察時の視野範囲と実際に撮影した画像の視野範囲に差が生ずることがなく、かつ、充分な手振れ補正を行うことのできる撮像装置を提供することができる。
【手続補正１１】
【補正対象書類名】明細書
【補正対象項目名】００４９
【補正方法】変更
【補正の内容】
【００４９】
制御回路２０は、カメラ本体２００内における防振動作を制御するとともに、交換レンズ１００内の制御回路１０に対して防振動作の開始・停止・初期化等の指示を行う制御回路であり、ＡＳＩＣ２５０が相当する。すなわち、制御回路２０は、レリーズ釦２５から半押し（１Ｒスイッチオン）信号を入力すると、交換レンズ１００の制御回路１０に対して防振動作の開始を指示し、カメラ本体２００の補正回路２２に対して防振動作は禁止する。
【手続補正１２】
【補正対象書類名】明細書
【補正対象項目名】００５０
【補正方法】変更
【補正の内容】
【００５０】
また、制御回路２０は、レリーズ釦２５から全押し（２Ｒスイッチオン）信号を入力すると、制御回路１０に対して防振動作の終了を指示し、補正回路２２に対して防振動作の開始を指示する。露光動作が終了すると、制御回路２０は、補正回路２２に対して防振動作の終了を指示し、制御回路１０に対してセンタリング動作を指示するとともに、撮像素子２２１が可動中心位置となるように、センタリング動作を行う。
【手続補正１３】
【補正対象書類名】明細書
【補正対象項目名】００５４
【補正方法】変更
【補正の内容】
【００５４】
続いて、ボディ側防振機構２３３の初期化を行う（＃８）。ボディ側防振機構２３３の初期化では、制御回路２０から駆動機構２３に対してセンタリング制御信号を出力することにより、センタリング動作を行う。ボディ側防振機構の初期化を行うと、次に、通信可能なレンズか否かの判定を行う（＃１０）。このステップでは、ボディＣＰＵ２５１は、通信接点２９１を通じてレンズＣＰＵ１１１と通信を行い、応答があるか否かによって判定する。
【手続補正１４】
【補正対象書類名】明細書
【補正対象項目名】００５５
【補正方法】変更
【補正の内容】
【００５５】
ステップ＃１０における判定の結果、通信可能はレンズが装着されていなかった場合には、ステップ＃３１にジャンプする。一方、判定の結果、通信可能なレンズであった場合には、レンズＣＰＵ１１１にレンズ情報の送信指示を行う（＃１１）。レンズＣＰＵ１１１は送信指示を受けると、交換レンズ１００の焦点距離情報、開放絞り値、最小絞り値、レンズの色バランス情報、収差情報、ＡＦのための情報等のレンズ固有の情報をボディＣＰＵ２５１に送信する。また、レンズ情報として、交換レンズ１００にレンズ防振機構１０５を備えているか否かの情報も送信する。
【手続補正１５】
【補正対象書類名】図面
【補正対象項目名】図３
【補正方法】変更
【補正の内容】
【図３】
2009251491.tif 000001
【手続補正１６】
【補正対象書類名】図面
【補正対象項目名】図７
【補正方法】変更
【補正の内容】
【図７】
2009251491.tif 000002